(57)【要約】      （修正有）【課題】電柱等の高所作業を要する構造物に立て掛けて使用する脚立や梯子等の機材の安定確保のため、該機材に取り付けて使用する機材緊縛装置を提供する。【解決手段】馬蹄形固定シャフト１１を取り付けた脚立２を、脚立２に形成されているアタッチメント２４をポールの曲面に接してポール３に立て掛ける。次にロープ１２をポール３の周囲に巻きつける。この巻き付けたロープ１２の一端を、前記馬蹄形固定シャフト１１の馬蹄形固定シャフト脚部の間にある間隙に挿入する。この挿入されたロープ１２を、馬蹄形固定シャフト脚部の周囲に当接していったん上方の向かわせ、前記馬蹄形固定シャフト脚部の周囲に当接する。この馬蹄形固定シャフトに当接したロープ１２を馬蹄形固定シャフト脚部に接しながら下方へ押し下げる。その結果機材緊縛装置により、脚立２はポール３に緊縛される。【選択図】図４
0003174714.tif 000002
【実用新案登録請求の範囲】
【請求項１】
高所作業を行うための作業を実施する構造体に作業員が登って作業するための機材を、前記構造体に緊縛する機材緊縛装置であって、  この機材緊縛装置は前記機材に取り付けられている馬蹄形固定シャフトと、この馬蹄形固定シャフトに巻きつけられる紐状体を備えていることを特徴とする、機材緊縛装置。
【請求項２】
前記構造体は電柱、街路灯、樹木であることを特徴とする、前記請求項１記載の機材緊縛装置。
【請求項３】
前記機材は脚立、梯子であることを特徴とする、前記請求項１記載の機材緊縛装置。
【請求項４】
前記機材に取り付けられている馬蹄形固定シャフトは、金属で形成されていることを特徴とする、前記請求項１記載の機材緊縛装置。
【請求項５】
前記機材に取り付けられている馬蹄形固定シャフトは、前記機材に対して水平に取り付けられていることを特徴とする、前記請求項１記載の機材緊縛装置。
【請求項６】
前記機材に取り付けられている馬蹄形固定シャフトは、前記機材に対して斜めに取り付けられていることを特徴とする、前記請求項１記載の機材緊縛装置。
【請求項７】
前記機材に取り付けられている馬蹄形固定シャフトに巻きつけられる紐状体は、ロープであることを特徴とする、前記請求項１記載の機材緊縛装置。
【請求項８】
前記機材に取り付けられている馬蹄形固定シャフトに巻きつけられる紐状体の一端に、前記構造体に掛止されるフックが取り付けられていることを特徴とする、前記請求項１記載の機材緊縛装置。
【請求項９】
前記構造体に巻き付けられる紐状体を緊縛するロープ留めを設けたことを特徴とする、前記請求項１記載の機材緊縛装置。
【請求項１０】
前記馬蹄形固定シャフトは、前記機材とは分離され機材の一部品として形成されていることを特徴とする、前記請求項１記載の機材緊縛装置。
【考案の詳細な説明】
【技術分野】
【０００１】  本考案は、電柱、樹木等の構造体で高所作業を行うために、脚立、梯子等の機材を構造体に緊縛するための機材緊縛装置に関するものである。
【背景技術】
【０００２】  従来電線を架設するためには電柱の高所で作業する必要性があった。また樹木の剪定作業も高所で実施されている。このように電柱、樹木等の構造体の高所部分には作業員が脚立、梯子等の機材を利用し、脚立、梯子等を前記構造体に立て掛け、この機材を登って高所作業をしていた。【０００３】  前記構造体に立て掛ける脚立を図１０、図１１によって説明する。図１０中５１は二つ折りに畳んだ機材４１の一例である脚立である。図１１は二つ折りにして脚立を延伸して使用する脚立５１である。この脚立５１は、左右配置したアルミニウウム角管製の支柱５２、５２と、この支柱５２、５２間に掛け渡した台形管状の複数の踏桟５３，５３と、支柱５２，５２の上端部に設けられた天板５４が備えられている。【０００４】  上記のような構造の脚立を図１２に示されるように円柱状のポール６１に立て掛け作業員が高所作業を実施する。その場合脚立５１の上方の部分に設けられている踏桟５３を円柱状のポール６１の表面に当接する。しかしながら円柱状のポール６１の表面は曲面状であり、一方踏桟５３は平板状であるので、円柱状のポール６１と踏桟５３の当接面は点接触となり、円柱状のポール６１に当接している脚立５１は不安定となり、作業員がバランスをくずして、転倒や転落のおそれがある。【０００５】  この高所部分で作業している作業員の転落や転倒を防止するためには、他の作業員が地上にあって脚立５１を支えなければならない。このことは作業員が複数必要とされ作業経費が増大するとともに、作業場所が頻繁に変わり、長時間に亘る場合が多いので、作業員に過度の労力の負担をかけるという問題点がある。【０００６】  また脚立と構造体とをロープ状の紐状体で固縛する方法もある。この方法によると作業員に過度の労力の負担を軽減することは可能である。しかしながらこの脚立と構造体をロープで確実に固縛することはロープがゆるんで脚立が搖動し不安定になり、作業員に危険を及ぼすともに作業時に設置作業に手間が掛って具合が悪いという問題点があった。  さらに円柱状の構造体と脚立の踏桟との当接面を増大して脚立の安定性を図ったものがある。このものを図１３に基づいて説明する。図中５１は構造体の一例であるポール６１に立て掛けた脚立である。この脚立１は左右配置したアルミニウウム角管製の支柱５２、５２と、この支柱５２、５２間に掛け渡した台形管状の複数の踏桟５３，５３とを有し、この最上部の踏桟５３の上方にＶ字状のアタッチメント５４を左右の支柱５２、５２との間に掛け渡す。  このアタッチメント５４はＶ字状であるので、その凹所の部分が樹木６１の円の表面と当接するので、当接は面当接となり脚立は一応安定する。しかしながら作業員が左右の支柱５２，５２のいずれか一方に位置して高所作業を実施した場合に、脚立が左右いずれか一方に搖動し、その結果脚立の立て掛けが不安定になり、作業員を危険にさらすことになるという問題点ある。
【先行技術文献】
【特許文献】
【０００７】
【特許文献１】特開２００２−１９４９８１
【特許文献２】特開２００６−１３２２９８
【特許文献３】登録実用新案第３１４４８０８号
【考案の開示】
【考案が解決しようとする課題】
【０００８】  本考案は、上記のような従来の構成が有していた問題点を解決しようとするものであり、構造体に立て掛ける脚立を安定にして高所における作業員の危険を防止し、また作業員の過度の労力の負担を軽減し、さらに脚立の設置が簡単にできるようにした機材緊縛装置を実現することを目的とする。
【課題を解決するための手段】
【０００９】  このため請求項１の考案は、高所作業を行うための作業を実施する構造体に作業員が登って作業するための機材を、前記構造体に緊縛する機材緊縛装置であって、この機材緊縛装置は機材に取り付けられている馬蹄形固定シャフト、この固定シャフトに巻きつけられている紐状体を備えることによって、安定した危険性のない構造体に機材を固定する機材緊縛装置を実現することを目的とする。【００１０】  請求項５の考案は、前記機材に馬蹄形固定シャフトを機材に対して水平方向に取り付けることによって、確実に機材を構造体に固定することができる機材緊縛装置を実現することを目的とする。  請求項８の考案は、前記機材に取り付けられている馬蹄形固定シャフトに巻きつけられる紐状体の一端に、前記構造体に掛止されるフックを取り付けることによって、簡単に機材を構造体に取り付けることがでる機材緊縛装置を実現することを目的とする。  請求項９の考案は、前記構造体に巻きつけられる紐状体を緊縛するロープ留めを設けることによって、構造体と機材を紐状体で固定した場合紐状体がぶれずに堅く確実に機材を構造体に取り付けることができる機材緊縛装置を実現することを目的とする。
【考案の効果】
【００１１】本考案は、機材緊縛装置は機材に取り付けられている馬蹄形固定シャフト、この固定シャフトに巻きつけられている紐状体を備えているので、紐状体の一端を構造体の周囲に巻きつけ、巻きつけた紐状体の他端を馬蹄形固定シャフトに巻きつけつけることができるので、簡単に短時間で構造体に機材を固定することができるという効果がある。  また機材に馬蹄形固定シャフトを取り付けたので、紐状体の一端を馬蹄形固定シャフトに挿入して紐状体を締めることができので、機材を構造体に安定して固定できるという効果がある。  さらに前記機材に馬蹄形固定シャフトを機材に対して水平方向に取り付けることによって、紐状体の一端を馬蹄形固定シャフトに挿入して紐状体を一層強固に締めることができので、機材を構造体に安定して固定できるという効果がある。【００１２】  また前記機材に取り付けられている馬蹄形固定シャフトに巻きつけられる紐状体の一端に、前記構造体に掛止されるフックを取り付けることによって、紐状体の一端を構造体の周囲に巻きつける必要がなく、単に紐状体の一端に設けられているフックを構造体に掛止すればよいので、安易に機材を構造体に固定することができるという効果がある。  また前記構造体に巻きつけられる紐状体を緊縛するロープ留めを設けたので、構造体と機材とを紐状体で固定した場合紐状体がぶれないので、より強固に的確に機材を構造体に固定することができるという効果がある。
【考案を実施するための最良の形態】
【００１３】以下本発明の実施の携帯を図１〜９に基づいて説明する。図１は本機材緊縛装置１を備えた機材２を構造体３に立て掛けた説明図である。前記機材２は一例として脚立を示しておるが、梯子でもよいもので、要は作業員が高所に登れる機材であればよい。この脚立２は図２、図３に示されるように左右に配置したアルミニウム角管製の左支柱２１、右支柱２２と、この左右の支柱２１、２２に配置した掛け渡した台形管状の複数の踏桟２３，２３とを有し、この最上部の踏桟２３の上方にＶ字状のアタッチメント２４を左右の支柱２１と２２との間に掛け渡す。【００１４】このアタッチメント２４はＶ字状であるので、その中心部が凹所をなし、その凹所の部分が構造体の一例であるポール３の曲面と当接する。その結果脚立２は一応安定する。しかしながら作業員が左右支柱２１、２２のいずれか一方に位置して高所作業を実施した場合、脚立２が左右いずれか一方に揺動し、その結果脚立の立て掛け不安定になり、作業員を危険にさらすことになる。なお前記構造体３は一例としてポールを示しているが、ポールのみに限定されるものではなく、電柱、樹木、建物も含むもので、要は高所作業が実施される場所であればよい。【００１５】  １は前記Ｖ字状のアタッチメント２４を設けた脚立２をさらに確実に強固に固定するために設けられた機材緊縛装置である。この機材緊縛装置１は図４，５、６示されるように前記機材２の左支柱２１と右支柱２２の両支柱２１，２２に取り付けられる馬蹄形固定シャフト１１と、この馬蹄形固定シャフト１１に巻き付けられる紐状体であるロープ１２とを備えている。【００１６】  この馬蹄形固定シャフト１１は金属製であるが、必ずしも金属製でなくともよく要は適度の強度を有しておればよいもので、前記脚立２の左支柱２１、右支柱２２の両支柱２１、２２の側壁に対して水平に取り付けられている。この馬蹄形固定シャフト１１は図５に示されるように馬蹄形をなし、その基部である馬蹄形固定シャフト基部１３とその馬蹄形固定シャフト基部１３を屈曲して馬蹄形固定シャフト脚部１４、１５を形成している。そしてその両馬蹄形固定シャフト脚部１４、１５の一端が溶接により前記支柱２１、２２に固定されている。この固定方法は溶接のみに限定するものではなく例えばねじ止めでもよい。この馬蹄形固定シャフト１１１にロープ１２が巻き付けられる。【００１７】  このロープ１２は前記ポール３の周囲を図４に示されるように左右ひと巻きにされ、このようにポール３に巻き付けられたロープ１２は図５に示されるように馬蹄形固定シャフト１１１に形成されている間隙１６へ挿入されいったん上方へ向かいさらに下方へ押し下げられるので、ロープ１２は強固に緊縛される。この結果脚立２はポール３に確実に強固に緊縛することができる。【００１８】  前記馬蹄形固定シャフト１１は機材２の支柱２１の側壁に水平に取り付けられているが、図７に示されるように前記支柱２１に対して斜め方向へ取り付けてもよい。  前記図４、図６に示されている１７は、前記ポール３の周囲に巻き付けられるロープ１２の横振れを防止するためのロープ留めである。このロープ留めをロープに引掛けることによりロープ１２が安定する。【００１９】  前記ロープ１２の一端に図８に示されるようなフック１８を取り付けたものがある。このフック１８は前記ポール２等の構造体に係止手段があれば、その係止手段にフック１８を引掛けるものである。  そのためロープ１２をポール３の周囲に巻きつける操作が必要でなくなり、その結果簡易に脚立２をポール３に固定できる。  前記馬蹄形固定シャフト１１は、前記脚立２の支柱２１、２２の側壁に固定されている。しかしながら馬蹄形固定シャフト１１は支柱２１、２２の側壁に固定するものばかりではない。  図９に示されたものは支柱２１、２２とは分離して、馬蹄形固定シャフト固定板１６に馬蹄形固定シャフト１１を溶着し、さらに前記馬蹄形固定シャフト固定板にネジ１７を形成し、このネジ１７によって馬蹄形固定シャフト固定板１７を、脚立２の支柱２１、２２の側壁に取り付けるものである。【００２０】  次にこの機材緊縛装置１の使用方法を説明する。先ず馬蹄形固定シャフト１１を取り付けた脚立２を、脚立２に形成されているアタッチメント２４をポールの曲面に接してポール３に立て掛ける。次にロープ１２を図４に示されるようにポール３の周囲に巻きつける。  この巻き付けたロープ１２の一端を、図５に示されるように前記馬蹄形固定シャフト１１の馬蹄形固定シャフト脚部１５と１５との間にある間隙１６に挿入する。この挿入されたロープ１２を、馬蹄形固定シャフト脚部１５の周囲に当接していったん上方の向かわせ、前記馬蹄形固定シャフト脚部１４の周囲に当接する。この馬蹄形固定シャフト１４に当接したロープ１２を馬蹄形固定シャフト脚部１４，１５に接しながら下方へ押し下げる。その結果機材緊縛装置により、脚立２はポール３に緊縛される。
【産業上の利用可能性】
【００２１】  上記したように、本考案は、電柱、樹木等の構造体で高所作業を行うめに使用されるものである。したがって脚立、梯子等の製造、販売に利点がある。
【図面の簡単な説明】
【００２２】
【図１】本考案の実施形態を示す機材緊縛装置の説明図
【図２】本考案の実施形態を示す機材緊縛装置の説明図
【図３】本考案の機材緊縛装置の一部拡大詳細図
【図４】本考案の機材緊縛装置の一部拡大詳細図
【図５】本考案の機材緊縛装置の一部拡大詳細図
【図６】本考案の機材緊縛装置の一部拡大詳細図
【図７】本考案の機材緊縛装置の他の実施例
【図８】本考案の機材緊縛装置の他の実施例
【図９】本考案の機材緊縛装置の他の実施例
【図１０】本考案の機材緊縛装置の従来例の説明図
【図１１】本考案の機材緊縛装置の従来例の説明図
【図１２】本考案の機材緊縛装置の従来例の説明図
【図１３】本考案の機材緊縛装置の従来例の説明図
【符号の説明】１      機材緊縛装置２      脚立３      ポール１１    馬蹄形固定シャフト１２    ロープ
【図１】
0003174714.tif 000003
【図２】
0003174714.tif 000004
【図３】
0003174714.tif 000005
【図４】
0003174714.tif 000006
【図５】
0003174714.tif 000007
【図６】
0003174714.tif 000008
【図７】
0003174714.tif 000009
【図８】
0003174714.tif 000010
【図９】
0003174714.tif 000011
【図１０】
0003174714.tif 000012
【図１１】
0003174714.tif 000013
【図１２】
0003174714.tif 000014
【図１３】
0003174714.tif 000015